(57)【要約】【課題】  ヘッド部の肩部内面をバリアシート片で形成したアルミラミネートシート製チューブ容器において、バリアシート片におけるアルミ箔層が露出するのを防止することを目的とする。【解決手段】  ヘッド部１にもアルミラミネートシート製のバリアシート片６を設けたアルミラミネートチューブ容器において、バリアシート片６の外周端部を上方に折り曲げて形成した曲げ端部１０を、ヘッド樹脂４内に埋没位置させて、バリアシート片６の外周端面をヘッド樹脂４で完全に覆い、バリアシート片６のアルミ箔層７の露出を確実に阻止する。【選択図】  図３
2010083549.tif 000002
【特許請求の範囲】
【請求項１】
笠状の肩部の上端開口部から短円筒状の口筒部を立設したヘッド部に、アルミラミネートシート製の胴部の上端を溶着固定したアルミラミネートチューブ容器において、前記ヘッド部を、少なくとも前記肩部の内面全域を形成するアルミラミネートシート製のリング状をしたバリアシート片と、該バリアシート片を溶着固定するヘッド樹脂とで構成し、前記バリアシート片の外周端部を上方に折り曲げて曲げ端部に形成し、該曲げ端部をヘッド樹脂内に埋没位置させたアルミラミネートチューブ容器。
【請求項２】
バリアシート片の曲げ端部を、肩部に位置した胴部形成用アルミラミネートシートに近接させた請求項１に記載のアルミラミネートチューブ容器。
【請求項３】
バリアシート片の外周端部を、上方に立ち上げて曲げ端部とした請求項１または２に記載のアルミラミネートチューブ容器。
【請求項４】
バリアシート片の外周端部を、バリアシート片本体部に、上方から折り重ねて曲げ端部とした請求項１または２に記載のアルミラミネートチューブ容器。
【請求項５】
バリアシート片を構成するアルミ箔層の層厚を、２０ミクロン以上とした請求項１〜４のいずれか１項に記載のアルミラミネートチューブ容器。
【発明の詳細な説明】
【技術分野】
【０００１】
本発明は、アルミラミネートシートを使用して、高いガスバリア性を発揮するチューブ容器に関するものである。
【背景技術】
【０００２】
優れたガスバリア性を発揮するシート材として、アルミ箔の両面を合成樹脂膜で被覆したアルミラミネートシートが知られており、アルミラミネートシートを巻回して胴部を構成したチューブ容器が広く用いられている。
【０００３】
このチューブ容器は、容器の主体部分である胴部のガスバリア性はきわめて優れているのであるが、胴部に連設されるヘッド部が、合成樹脂材料で圧縮成形や射出成形により成形されることから、ガスバリア性が低く、このため容器全体としてのガスバリア性が低くなると云う不都合があった。
【０００４】
この不都合を解消する従来技術として、例えば特開２００２−２２５０５７号公報に示されているように、合成樹脂材料で成形されたヘッド部の肩部にアルミラミネートシートを取り付ける技術が提案されている。
【０００５】
すなわち、合成樹脂材料でヘッド部を成形する際に、ヘッド部成形金型に、アルミラミネートシート製のシート片をインサート材として配置しておき、このシート片をヘッド部に成形される合成樹脂材料で成形型面に押付けながら、一体に溶着させるのである。
【特許文献１】特開２００２−２２５０５７号公報
【０００６】
この従来技術は、アルミラミネートシート製の胴部に連設されたヘッド部の肩部にも、アルミラミネートシートの層を設けることができるので、ヘッド部のガスバリア性を高めることができ、これによりガスバリア性の充分に高いチューブ容器を得ることができる。
【発明の開示】
【発明が解決しようとする課題】
【０００７】
しかしながら、上記した従来技術にあっては、リング状に成形されたアルミラミネートシート片を、成形型面上に押付けた状態でヘッド部の成形を達成するので、ヘッド部を構成する合成樹脂材料であるヘッド樹脂と、アルミラミネートシート片であるバリアシート片の端面との間の接着強度が充分ではないと云う問題があった。
【０００８】
すなわち、図５に示すように、バリアシート片６ａの端面とヘッド樹脂４の肩部樹脂部５とは、バリアシート片６ａの端面の面積が小さいので、充分な溶着強度を得ることができないのであるが、特にバリアシート片６ａの外周端面側の接合部ｓでは、ヘッド樹脂４の成形動作時における流動圧の作用状態により、必ずしも充分な溶着強度が得られないと云う問題があった。
【０００９】
このように、接合部ｓにおける溶着強度が充分ではないことと、この接合部ｓが位置する部分は、チューブ容器の肩部の周端部分であるため、他の物品との突き当たりにより変形力を受け易いことにより、この接合部ｓが容易に剥離して、バリアシート片６ａのアルミ箔層が容器内に露出し、ガスバリア性が低下する、と云う問題があった。
【００１０】
そこで、本発明は、上記した従来技術における問題点を解消すべく創案されたもので、ヘッド部の肩部内面をバリアシート片で形成したアルミラミネートシート製チューブ容器において、ヘッド部に設けたバリアシート片の周端部、特に外周端部のヘッド樹脂との充分な溶着強度を確保することを技術的課題とし、もってバリアシート片におけるアルミ箔層が露出するのを防止することを目的とする。
【課題を解決するための手段】
【００１１】
本発明の主たる構成は、笠状の肩部の上端開口部から短円筒状の口筒部を立設したヘッド部に、アルミラミネートシート製の胴部の上端を溶着固定したアルミラミネートチューブ容器において、ヘッド部を、少なくとも肩部の内面全域を形成するアルミラミネート製のリング状をしたバリアシート片と、このバリアシート片を溶着固定するヘッド樹脂とで構成し、バリアシート片の外周端部を上方に折り曲げて曲げ端部に形成した、ことにある。
【００１２】
そして、この曲げ端部を、ヘッド樹脂内に埋没位置させた構造となっている。
【００１３】
バリアシート片の曲げ端部は、ヘッド樹脂内に埋没位置しているので、ヘッド樹脂との接触面積が充分に大きくなり、これによりヘッド樹脂に対して強力に溶着固定する。
【００１４】
同様に、バリアシート片の曲げ端部は、ヘッド樹脂内に埋没位置しているので、その端面、すなわちバリアシート片の外周端面全域が、ヘッド樹脂により完全に覆われることになる。
【００１５】
本発明の別の構成は、上記した主たる構成に加えて、バリアシート片の曲げ端部を、肩部に位置した胴部形成用アルミラミネートシート近接させた、ものである。
【００１６】
バリアシート片の曲げ端部を、肩部に位置した胴部形成用アルミラミネートシートに近接させたものにあっては、バリアシート片の曲げ端部のアルミ箔層と、肩部に位置した胴部形成用アルミラミネートシートのアルミシート層との間に位置する肩部樹脂部の厚みが小さくなる。
【００１７】
また、本発明の別の構成は、上記した主たる構成に加えて、バリアシート片の外周端部を、上方に立ち上げて曲げ端部とした、ものである。
【００１８】
バリアシート片の外周端部を、上方に立ち上げて曲げ端部としたものにあっては、バリアシート片の外周端面を、ヘッド樹脂内部の深い箇所に位置させることになる。
【００１９】
また、本発明の別の構成は、上記した主たる構成に加えて、バリアシート片の外周端部を、バリアシート片本体部に、上方から折り重ねて曲げ端部とした、ものである。
【００２０】
バリアシート片の外周端部を、バリアシート片本体部に、上方から折り重ねて曲げ端部としたものにあっては、バリアシート片の外周端部の反転折り曲げにより曲げ端部を成形するので、この曲げ端部の折れ曲がり姿勢が、安定して維持される。
【００２１】
また、本発明の別の構成は、上記した主たる構成に加えて、バリアシート片を構成するアルミ箔層の層厚を、２０ミクロン以上とした、ものである。
【００２２】
バリアシート片を構成するアルミ箔層の層厚を、２０ミクロン以上としたものにあっては、アルミ箔層の層厚により、アルミ箔層自体の塑性変形状態を自己保持することが可能となる。
【発明の効果】
【００２３】
本発明は、上記した構成となっているので、以下に示す効果を奏する。
本発明にあっては、バリアシート片の曲げ端部とヘッド樹脂との接触面積が充分に大きくなるので、この曲げ端部のヘッド樹脂に対する強力な溶着固定を得ることができ、これによりヘッド樹脂とバリアシート片との溶着固定が、充分に強固なものとなる。
【００２４】
バリアシート片の曲げ端部の端面、すなわちバリアシート片の外周端面全域が、ヘッド樹脂により完全に覆われることになるので、このバリアシート片の外周端面全域の密なる被覆が安定して強力に達成される。
【００２５】
バリアシート片の曲げ端部を、肩部に位置した胴部形成用アルミラミネートシートに近接させたものにあっては、バリアシート片の曲げ端部のアルミ箔層と、肩部に位置する胴部形成用アルミラミネートシートのアルミシート層との間に位置する肩部樹脂部の厚みが小さくなるので、この肩部樹脂部からのガスの透過を極力抑えることができ、よりガスバリア性が高められる。
【００２６】
バリアシート片の外周端部を、上方に立ち上げて曲げ端部としたものにあっては、バリアシート片の外周端面を、ヘッド樹脂内部の深い箇所に位置させることになるので、バリアシート片の外周端面の密なる被覆が安定して維持される。
【００２７】
バリアシート片の外周端部を、バリアシート片本体部に、上方から折り重ねて曲げ端部としたものにあっては、曲げ端部の折れ曲がり姿勢が、安定して維持されるので、バリアシート片の形状不良を生じる恐れがなく、またバリアシート片の外周端面の密なる被覆が安定して維持される。
【００２８】
バリアシート片を構成するアルミ箔層の層厚を、２０ミクロン以上としたものにあっては、アルミ箔層自体の塑性変形状態を自己保持することが可能となるので、一定して安定した形状のバリアシート片を安定的に得ることができる。
【発明を実施するための最良の形態】
【００２９】
以下、本発明の実施形態を、図１〜図４を参照しながら説明する。
【００３０】
図１は、本発明によるチューブ容器のヘッド部１付近の構成を示す、半縦断面図で、アルミラミネートシート１２を巻回して円筒状に成形された胴部１１の上端に、笠状の肩部２の上端開口部に、外周面に螺条を刻設した短円筒状の口筒部３を立設したヘッド部１を、肩部２の外周端で溶着固定して構成されている。
【００３１】
ヘッド部１は、肩部２の肩部樹脂部５と口筒部３を形成するヘッド樹脂４と、肩部樹脂部５の内面側に位置するバリアシート片６とから構成され、バリアシート片６および胴部１１の上端部をインサート材として、ヘッド樹脂４を、周知の圧縮成形や射出成形して成形され、この成形と同時に、肩部２の外周端部が胴部１１の上端部に溶着されると共に、バリアシート片６が肩部樹脂部５に溶着される。
【００３２】
バリアシート片６（以下、図２参照）は、アルミ箔層７の外面と内面に、外面樹脂層８と内面樹脂層９をそれぞれ積層し積層構造に構成されており、外面樹脂層８および内面樹脂層９の成形樹脂材料は、ヘッド樹脂４と相溶性のある樹脂が選択され、特にヘッド樹脂４および内面樹脂層９には、耐内容物性と高い成形性が要求されることから、ポリエチレン樹脂（ＰＥ）が適している。
【００３３】
このバリアシート片６は、アルミラミネートシートから打ち抜き成形されるが、この打ち抜き成形に際して、打ち抜きと同時に笠状への成形も達成するが、笠状への成形が平坦状に戻り変形しないように、アルミ箔層７の厚みを、２０〜６０ミクロンと大きく設定して、塑性加工が可能であるようにする。なお、外面樹脂層８および内面樹脂層９は、共にＰＥ製として、その厚みは２０〜１００ミクロン程度が適当である。
【００３４】
バリアシート片６の外周端部は、上方に折り曲げられた曲げ端部１０に成形されるが、図３に示した曲げ端部１０の実施形態例は、バリアシート片６の外周端部を、上方に折り曲げ状に立ち上げて構成されており、図４に示した曲げ端部１０の実施形態例は、バリアシート片６の外周端部を、バリアシート片６本体部に上方から折り重ねて構成されている。
【００３５】
このように、曲げ端部１０は、バリアシート片６の外周端部を、ヘッド樹脂４が位置する上方に折り曲げて成形されるものであるので、その全体が必ずヘッド樹脂４内に埋没することになり、バリアシート片６の外周端面のヘッド樹脂４による被覆が、必ず得られるものとなる。
【００３６】
同様に、曲げ端部１０は、バリアシート片６の外周端部を、ヘッド樹脂４が位置する上方に折り曲げて成形されるものであるので、そのアルミ箔層７部分が、肩部２に位置しているアルミラミネートシート１２に近接して、このアルミラミネートシート１２のアルミシート層１３との間隔を狭め、肩部２におけるガスバリア性を高めている。
【００３７】
また、曲げ端部１０は、バリアシート片６の外周端部の折り曲げにより得られるものであるが、バリアシート片６のアルミ箔層７の層厚が、塑性加工可能な値に設定されているので、適正に折り曲げ成形することができると共に、成形された形状を安定して維持する。
【００３８】
それゆえ、曲げ端部１０を形成したバリアシート片６は、曲げ端部１０がリブとして機能するので、その外周端部分の形状が安定して維持され、これによりインサート材としての取り扱いがし易いものとなる。
【００３９】
胴部１１を構成するアルミラミネートシート１２（以下、図３参照）は、外側から、外樹脂層１４、接着樹脂層１６、アルミシート層１３そして内樹脂層１５を順に積層して構成され、外樹脂層１４は、胴部１１の必要とする機械的強度を確保できる厚みを有しており、接着樹脂層１６は、アルミシート層１３と外樹脂層１４を強固に接合しており、そして外樹脂層１４および内樹脂層１５は、強度、耐内容物性、柔軟性そして成形性等の点から、一般にはＰＥが適していると考えられる。
【００４０】
なお、バリアシート片６の内周端面は、ヘッド部１の成形時におけるヘッド樹脂４の流動動作から、比較的安定してヘッド樹脂４と溶着し、また殆ど変形することのない口筒部３に位置していることがら、溶着を剥がす外力の作用する恐れがないので、そのヘッド樹脂４との溶着は安定して維持される。
【００４１】
また、バリアシート片６の内周端部にも、折り曲げにより曲げ端部１０に相当する部分を設けることは可能であり、この場合には、当然のこととして、バリアシート片６の内周端面のヘッド樹脂４による、確実で安定した被覆を得ることができることになる。
【産業上の利用可能性】
【００４２】
以上説明したように、本発明の覆い樹脂片の構造技術は、バリアシート片の外周端のヘッド樹脂による強固で確実な被覆を得ることができるものであり、アルミラミネートシートと合成樹脂製構成部分との溶着接合に関する技術として、幅広い利用展開が期待できる。
【図面の簡単な説明】
【００４３】
【図１】本発明の一実施形態例を示す、ヘッド部付近半縦断面図である。
【図２】図１中、丸印Ａで示した、バリアシート片の積層構造を示す拡大断面図である。
【図３】図１中、丸印Ｂで示した部分の実施例の拡大断面図である。
【図４】図１中、丸印Ｂで示した部分の別の実施例の拡大断面図である。
【図５】図１中、丸印Ｂで示した部分の、従来例の拡大断面図である。
【符号の説明】
【００４４】
１  ；ヘッド部
２  ；肩部
３  ；口筒部
４  ；ヘッド樹脂
５  ；肩部樹脂部
６  ；バリアシート片
７  ；アルミ箔層
８  ；外面樹脂層
９  ；内面樹脂層
１０；曲げ端部
１１；胴部
１２；アルミラミネートシート
１３；アルミシート層
１４；外樹脂層
１５；内樹脂層
１６；接着樹脂層
ｓ  ；接合部
【図１】
2010083549.tif 000003
【図２】
2010083549.tif 000004
【図３】
2010083549.tif 000005
【図４】
2010083549.tif 000006
【図５】
2010083549.tif 000007
【手続補正書】
【提出日】平成20年12月8日(2008.12.8)
【手続補正１】
【補正対象書類名】図面
【補正対象項目名】図３
【補正方法】変更
【補正の内容】
【図３】
2010083549.tif 000008
【手続補正２】
【補正対象書類名】図面
【補正対象項目名】図４
【補正方法】変更
【補正の内容】
【図４】
2010083549.tif 000009